(57)【要約】      （修正有）【課題】樹脂部との接合性に優れる上に、低損失なコア片及びリアクトルを提供する。【解決手段】巻線を巻回してなるコイルの内外に配置される磁性コアを構成するコア片３１ｍ、３２ｍであって、前記コイルの磁束に平行すると共に、隣り合うコア片同士を一体に保持する周面樹脂部３７５が接合される周面３１ｓを備え、周面３１ｓは、その周方向に沿った導通を分断する非導通領域３６と、非導通領域を通過しない複数の溝とを備える。前記非導通領域及び複数の溝は、レーザ加工によって形成されている。【選択図】図１
2015211143.tif 000002
【特許請求の範囲】
【請求項１】
巻線を巻回してなるコイルの内外に配置される磁性コアを構成するコア片であって、
前記コイルの磁束に平行すると共に、隣り合うコア片同士を一体に保持する周面樹脂部が接合される周面を備え、
前記周面は、その周方向に沿った導通を分断する非導通領域と、前記非導通領域を通過しない複数の溝とを備えるコア片。
【請求項２】
前記非導通領域及び前記複数の溝は、レーザ加工によって形成されている請求項１に記載のコア片。
【請求項３】
金属粒子と前記金属粒子間に介在する絶縁材とを備える圧粉成形体である請求項１又は請求項２に記載のコア片。
【請求項４】
前記複数の溝のうち一部の溝は、前記非導通領域に侵入する一端部を有する突出溝である請求項１〜請求項３のいずれか１項に記載のコア片。
【請求項５】
更に、前記コイルの磁束に直交すると共に、端面樹脂部が接合される端面を備え、
前記端面は、複数の溝を備える請求項１〜請求項４のいずれか１項に記載のコア片。
【請求項６】
巻線を巻回してなるコイルと、
請求項１〜請求項５のいずれか１項に記載のコア片を含む複数のコア片を備える磁性コアと、
前記非導通領域及び前記複数の溝を備えるコア片の周面に接合されて、このコア片と隣り合うコア片とを一体に保持する周面樹脂部とを備えるリアクトル。
【発明の詳細な説明】
【技術分野】
【０００１】
本発明は、リアクトルなどの磁気部品に備える磁性コアを構成するコア片、ハイブリッド自動車などの車両に搭載される車載用ＤＣ−ＤＣコンバータや電力変換装置の構成部品などに利用されるリアクトルに関する。特に、樹脂部との接合性に優れる上に、低損失なコア片及びリアクトルに関する。
【背景技術】
【０００２】
電圧の昇圧動作や降圧動作を行う回路の部品の一つに、リアクトルがある。特許文献１は、ハイブリッド自動車などの車両に載置されるコンバータに利用されるリアクトルとして、巻線を螺旋状に巻回してなるコイルと、複数のコア片を組み合わせて環状に形成される磁性コアとを備えるものを開示している。また、特許文献１は、磁性コアのうち、コイル内に配置される複数のコア片を一体に絶縁被覆層（樹脂層）で覆うことを開示している。
【０００３】
特許文献２は、リアクトルに用いられるコア片を、絶縁被覆を備える鉄粉（被覆粉末）の圧粉成形体とする場合に、ダイとの摺接面に、鉄粒子が展延してなる導通部をレーザで分断して、高抵抗領域を形成することを開示している。
【先行技術文献】
【特許文献】
【０００４】
【特許文献１】特開２０１２−１１９４５４号公報
【特許文献２】特開２０１３−１３１６７６号公報
【発明の概要】
【発明が解決しようとする課題】
【０００５】
樹脂部との接合性に優れる上に、低損失なコア片及びリアクトルが望まれている。
【０００６】
リアクトルなどの磁気部品に備えるコイルは、通電時、ジュール熱によって発熱し、非通電時には発熱しない。特に、車載用コンバータに利用されるリアクトルなどのように、通電電流値が大きい場合には、コイルの発熱が大きい。従って、コイル近傍に配置されるコア片やコア片を覆う樹脂層は、コイルに起因するヒートサイクルを受けて熱伸縮する。鉄などの金属を主体とするコア片と、樹脂とでは、熱膨張係数が異なるため、樹脂層がコア片から剥離する恐れがある。樹脂層が剥離することで、樹脂層の機能を十分に発揮できない恐れがある。例えば、樹脂層が剥離した箇所は、コイルとコイル内に配置されるコア片との間の絶縁の弱点となる可能性がある。また、例えば、樹脂層が剥離して複数のコア片の一体化が不十分になると、剥離前後の共振周波数が変化して、剥離前と比較して振動や騒音が大きくなる恐れがある。
【０００７】
そこで、本発明者らは、コア片と樹脂部との接合性を高めるために、コア片における樹脂部との接合面を凹凸形状にすること、具体的には溝を形成することを検討した。例えば、コイル内に配置されるコア片において、その周面（コイルの内周面に対向する面）に溝を形成することでコア片と樹脂部との接合性を高められて、複数のコア片を強固に一体化できる。しかし、この場合、溝部分が導通することで、コア片の周面の周方向（コイルの内周面の周方向に実質的に同じ）に沿った渦電流が生じて、渦電流による損失が多くなり得るとの知見を得た。
【０００８】
本発明は、上述の事情を鑑みてなされたものであり、その目的の一つは、樹脂部との接合性に優れる上に、低損失なコア片を提供することにある。本発明の別の目的は、樹脂部との接合性に優れる上に、低損失なリアクトルを提供することにある。
【課題を解決するための手段】
【０００９】
本発明の一態様に係るコア片は、巻線を巻回してなるコイルの内外に配置される磁性コアを構成するコア片であって、前記コイルの磁束に平行すると共に、隣り合うコア片同士を一体に保持する周面樹脂部が接合される周面を備え、前記周面は、その周方向に沿った導通を分断する非導通領域と、前記非導通領域を通過しない複数の溝とを備える。
【００１０】
本発明の一態様に係るリアクトルは、巻線を巻回してなるコイルと、上記本発明の一態様に係るコア片を含む複数のコア片を備える磁性コアと、前記非導通領域及び前記複数の溝を備えるコア片の周面に接合されて、このコア片と隣り合うコア片とを一体に保持する周面樹脂部とを備える。
【発明の効果】
【００１１】
上記のコア片は、樹脂部との接合性に優れる上に、低損失である。上記のリアクトルは、樹脂部との接合性に優れる上に、低損失である。
【図面の簡単な説明】
【００１２】
【図１】実施形態１のコア片及びこのコア片を備えるリアクトルを示す概略斜視図である。
【図２】実施形態１のコア片及びこのコア片を備えるリアクトルを示す分解斜視図である。
【図３】周面に非導通領域と突出溝を含む複数の溝とを備える変形例１−１のコア片を説明する説明図である。
【図４】周面及び端面に複数の溝を備える変形例１−３のコア片を説明する説明図である。
【図５】周面及び端面に複数の溝を備え、かつ周面に複数の非導通領域を備える変形例１−３のコア片を説明する説明図である。
【発明を実施するための形態】
【００１３】
［本発明の実施の形態の説明］
最初に、本発明の実施態様を列記して説明する。
（１）  本発明の一態様に係るコア片は、巻線を巻回してなるコイルの内外に配置される磁性コアを構成するコア片であって、上記コイルの磁束に平行すると共に、隣り合うコア片同士を一体に保持する周面樹脂部が接合される周面を備え、上記周面は、その周方向に沿った導通を分断する非導通領域と、上記非導通領域を通過しない複数の溝とを備える。
【００１４】
上記のコア片は、複数の溝によってコア片と周面樹脂部との接合強度の向上を図ることができる。かつ、上記のコア片は、リアクトルなどの磁気部品に用いられた場合に、上記溝を有していながらも、非導通領域を備えることで、コア片の周面にその周方向に沿って生じ得る渦電流の低減、抑制を図ることができる。従って、上記のコア片は、樹脂部との接合性に優れる上に、渦電流に起因する損失も低減でき、低損失なリアクトルなどの磁気部品の構築に寄与することができる。
【００１５】
詳しくは、上記のコア片は、隣り合うコア片を一体に保持する周面樹脂部が接合される周面に複数の溝が設けられているため、このコア片と樹脂との接触面積が、溝が無い場合（特許文献１など）に比較して大きく、コア片と周面樹脂部とを強固に接合できる。従って、上記のコア片は、周面樹脂部による複数のコア片の強固な一体化に寄与することができる。例えば、上記のコア片を備えるリアクトルなどの磁気部品は、隣り合うコア片同士が周面樹脂部によって強固に一体化される。その結果、このリアクトルなどは、樹脂部の剥離に起因する絶縁性能の劣化や、振動・騒音の増大を抑制して、コイルとコア片との間の絶縁性、耐振性にも優れる。
【００１６】
かつ、上記のコア片がリアクトルなどの磁気部品のコイル内に配置された場合でも、このコア片の周面に備える非導通領域が、この周面の周方向に沿ったループ状の渦電流の発生を抑制できる、即ちコア片に生じ得る渦電流のうち大きな電流の一つを抑制できる。
【００１７】
ここで、コア片に、金属粒子間に絶縁材が介在する圧粉成形体を利用すると、金属粒子間が絶縁されるため、渦電流を低減できる。しかし、このような圧粉成形体を用いても、溝の形成時に絶縁材が除去されて隣り合う金属粒子同士が導通した状態になり得る。溝部分が導通部分となることで、溝に沿ってコア片に渦電流が流れ得る。溝がコア片の周面に連続したループ状になっていれば、上記ループ状の渦電流が生じ得る。また、コア片の周面がダイとの摺接面であれば、溝の有無に係わらず導通状態であることが多く、上記ループ状の渦電流が生じ得る。上記のコア片では、その周面に設けられた溝が、同じく周面に設けられた非導通領域を通過しておらず、この非導通領域によって上記周面の周方向に分断されている。換言すれば、上記溝はいずれも、上記のコア片の周面にその周方向に沿ってループ状に存在しない。上記のコア片は、その周面の周方向に溝を分断すると共に、ダイとの摺接面における導通をも分断できる非導通領域を備えて、渦電流を低減できる。
【００１８】
上記絶縁材を備える圧粉成形体が非導通領域を有するには、上記のコア片の周面の一部に適宜な非導通処理（後述するレーザ加工など）を施すことが挙げられる。この処理によって、金属粒子間を渡るように延びていた導通部分が除去される結果、金属粒子の形状が圧粉成形体の表面に表れる。この圧粉成形体における非導通処理が施された領域の表面は、金属粒子の形状に応じた微細な凹凸で構成される。この微細な凹凸は、例えば、深さが数μｍ程度〜１０μｍ程度である。この微細な凹凸に周面樹脂部の構成樹脂が入り込むことによって、上記のコア片における非導通領域と周面樹脂部との接合強度をある程度高められる。即ち、非導通処理によって生じた微細な凹凸を、周面樹脂部との接合性の強化に利用できる。従って、上記のコア片は、複数の溝による周面樹脂部との高い接合性と、非導通領域による渦電流の遮断及び周面樹脂部とのある程度の接合性とを兼備できる。
【００１９】
（２）  上記のコア片の一例として、上記非導通領域及び上記複数の溝がレーザ加工によって形成されている形態が挙げられる。
【００２０】
上記形態は、レーザの加工条件を調整することで、非導通領域と溝との双方を容易に形成でき、製造性に優れる。
【００２１】
（３）  上記のコア片の一例として、金属粒子と上記金属粒子間に介在する絶縁材とを備える圧粉成形体である形態が挙げられる。
【００２２】
上記形態は、金属粒子間が絶縁材によって絶縁されるため、リアクトルなどの磁気部品に用いられた場合に渦電流を低減できる。かつ、溝の形成時に溝部分の絶縁材が除去され得るものの、非導通領域を有するため、コア片の周方向に沿った渦電流を低減したり、上記ループ状の渦電流を抑制したりできる。
【００２３】
（４）  上記のコア片の一例として、上記複数の溝のうち一部の溝が上記非導通領域に侵入する一端部を有する突出溝である形態が挙げられる。
【００２４】
上記形態は、突出溝によって非導通領域における周面樹脂部との接合性を向上でき、コア片と周面樹脂部との接合強度をより高められる。
【００２５】
（５）  上記のコア片の一例として、更に、上記コイルの磁束に直交すると共に、端面樹脂部が接合される端面を備え、上記端面が複数の溝を備える形態が挙げられる。
【００２６】
上記形態は、コア片の端面にも複数の溝を備えるため、この端面と端面樹脂部との接合性にも優れる。樹脂は一般に非磁性材であるため、上記形態のコア片をリアクトルなどの磁気部品に用いる場合に端面樹脂部をギャップとして利用することで、ギャップ材の省略によるリアクトルなどの製造性の向上を図ることができる。つまり、上記形態は、リアクトルなどの部品点数を低減して、リアクトルなどの製造性の向上に寄与することができる。上記形態のコア片をリアクトルなどに用いる場合に上記端面に設けられた溝に沿って渦電流が生じ得ることから、上記端面に備える複数の溝は、ループを形成することなく交差した交差溝が好ましい。
【００２７】
また、上記形態のコア片を含む複数のコア片と周面樹脂部及び端面樹脂部とを備えるリアクトルなどであって、周面樹脂部と端面樹脂部とが連続している場合、具体的には両樹脂部が上記複数のコア片を一体に覆う樹脂モールド部の一部である場合、例えば、複数のコア片の組物における一方の外端面から組物の周面を経て他方の外端面までを樹脂モールド部によって一体化できる。このような樹脂モールド部によって一体化されたコア部品は、複数のコア片の一体性を更に高められて振動や騒音を低減し易いと期待される。また、このコア部品は、樹脂モールド部の形成によって両樹脂部を同時に形成でき、製造工程数を低減できてリアクトルなどの製造性にも優れる。つまり、上記形態は、複数のコア片の一体性をより高められてリアクトルなどの振動や騒音の低減、及びリアクトルなどの製造性の向上に寄与すると期待される。
【００２８】
（６）  本発明の一態様に係るリアクトルは、巻線を巻回してなるコイルと、上記（１）〜（５）のいずれか１つに記載のコア片を含む複数のコア片を備える磁性コアと、上記非導通領域及び上記複数の溝を備えるコア片の周面に接合されて、このコア片と隣り合うコア片とを一体に保持する周面樹脂部とを備える。換言すれば、このリアクトルは、巻線を巻回してなるコイルと、複数のコア片を備える磁性コアと、上記複数のコア片のうち、少なくとも一つのコア片における上記コイルの磁束に平行する周面に接合されて、隣り合うコア片同士を一体に保持する周面樹脂部とを備え、上記周面に、上記周面における周方向に沿った導通を分断する非導通領域と、上記非導通領域を通過しない複数の溝とを備える。
【００２９】
上記のリアクトルは、周面樹脂部が接合される周面に上述の非導通領域及び複数の溝を備えるコア片を構成要素とするため、このコア片と、その周面に接合された周面樹脂部との接合強度が高く、コア片と周面樹脂部との接合性に優れる。かつ、上記のリアクトルは、非導通領域によって、コア片の周面にその周方向に沿ったループ状の渦電流の発生を抑制でき、低損失である。
【００３０】
その他、上記のリアクトルは、周面に接合された周面樹脂部によって、コイルとコア片との間の絶縁性の向上、コア片の機械的保護、環境からの保護などを図ることができる。また、上記のリアクトルは、複数のコア片を備えていながらも、周面樹脂部によって一体化されていることで、組立部品点数が少なく、製造性にも優れる。
【００３１】
［本発明の実施形態の詳細］
以下、図面を参照して、本発明の実施形態に係るリアクトルを具体的に説明する。図中の同一符号は、同一名称物を示す。
【００３２】
［実施形態１］
図１〜図５を参照して、実施形態１のコア片３１ｍ及びこのコア片３１ｍを備えるリアクトル１を説明する。図１〜図５に示すコア片３１ｍに備える溝３５Ａ〜３５Ｃ，突出溝３５８は、分かり易いように誇張して示し、実際の大きさとは異なる場合がある。図１〜図５では、分かり易いように非導通領域３６にはクロスハッチングを付している。また、図１では、コイル２において一方（手前側）の巻回部２ａの一部、及び内側コア部品３１０のミドル樹脂モールド部３１０ｍの一部を切欠いて、コア片３１ｍの周面３１ｓの一部が露出した状態を示す。図２では、一方（手前側）の内側コア部品３１０のミドル樹脂モールド部３１０ｍの一部を切欠いて、コア片３１ｍの周面３１ｓの一部が露出した状態を示す。
【００３３】
（リアクトル）
・全体構成
リアクトル１は、巻線２ｗを螺旋状に巻回してなるコイル２と、コイル２の内外に配置されて閉磁路を形成する磁性コア３とを備える。磁性コア３は、複数の柱状のコア片３１ｍ，３２ｍを備え、コイル２内に複数のコア片３１ｍ，…が配置される。コア片３１ｍは、コイル２の軸方向に直交に配置される端面３１ｅと、コイル２の軸方向に平行に配置される周面３１ｓとを備える。コイル２が励磁されると、コイル２の磁束がコア片３１ｍの端面３１ｅに直交にするように通過し、周面３１ｓ（図２〜図５も参照）に平行する。コア片３１ｍの周面３１ｓには、樹脂部（ここではミドル樹脂モールド部３１０ｍの一部）が接合される点、複数の溝（ここでは交差溝３５Ａ）を備える点、周面３１ｓの周方向に沿った導通を分断する非導通領域３６を備える点を特徴の一つとする。以下、より詳細に説明する。
【００３４】
・コイル
コイル２は、図１，図２に示すように１本の連続する巻線２ｗを螺旋状に巻回して形成された一対の筒状の巻回部２ａ，２ｂと、巻線２ｗの一部から形成されて両巻回部２ａ，２ｂを接続する連結部２ｒとを備える。各巻回部２ａ，２ｂは、各軸方向が平行するように並列（横並び）されている。この例では、巻線２ｗは、平角線の導体（銅など）と、この導体の外周を覆う絶縁被覆（ポリアミドイミドなど）とを備える被覆平角線（いわゆるエナメル線）であり、巻回部２ａ，２ｂはエッジワイズコイルである。巻線２ｗの両端部２ｅ，２ｅはいずれも、巻回部２ａ，２ｂから適宜な方向に引き出されて、その先端の導体部分に端子金具８，８が接続される。コイル２は、端子金具８を介して電源などの外部装置（図示せず）に電気的に接続される。
【００３５】
・磁性コア
磁性コア３は、コイル２（巻回部２ａ，２ｂ）内に配置される部分と、コイル２が実質的に配置されず、コイル２から突出した部分とを備える。この例の磁性コア３は、磁路を構築する部分が樹脂で覆われたコア部品、具体的には２個の内側コア部品３１０，３１０と２個の外側コア部品３２０，３２０とを構成要素とする。図２に示すように、内側コア部品３１０は、磁路を構築するミドル本体部３１と、ミドル樹脂モールド部３１０ｍとを備える。外側コア部品３２０は、磁路を構築するサイド本体部３２と、サイド樹脂モールド部３２０ｍとを備える。磁性コア３は、横並びされた一対の内側コア部品３１０，３１０を繋ぐように一対の外側コア部品３２０，３２０が組み付けられて、ミドル本体部３１，３１、サイド本体部３２，３２が環状に配置され、コイル２を励磁したときに閉磁路を形成する。
【００３６】
・・ミドル本体部
ミドル本体部３１は、図２の破線円内に示すように、軟磁性材料によって構成された複数のコア片３１ｍ，…と、コア片３１ｍよりも比透磁率が小さい材料（例えば、アルミナなどの非磁性材）からなるギャップ材３１ｇとが交互に積層されて柱状（この例では角部を丸めた直方体状）に形成されている。このミドル本体部３１の外形に沿って、その外周全体を覆うようにミドル樹脂モールド部３１０ｍが設けられている。樹脂モールド部３１０ｍの一部は、ミドル本体部３１の周面（ここではコア片３１ｍの周面３１ｓとギャップ材３１ｇの周面とでつくられる面）を覆う周面樹脂部３７５であり、他部は、ミドル本体部３１の一対の外端面（ここでは最外側に位置する２個のコア片３１ｍにおける一方の端面３１ｅ）を覆う端面樹脂部３７２である。周面樹脂部３７５は、ギャップ材３１ｇを介して積層されたコア片３１ｍ，…に渡って設けられており、隣り合うコア片３１ｍ，３１ｍを一体に保持する。コア片３１ｍ、ギャップ材３１ｇの個数は適宜変更できる。
【００３７】
端面樹脂部３７２は平板状の樹脂層であり、ミドル本体部３１の外端面をつくるコア片３１ｍと、このコア片３１ｍに隣り合うサイド本体部３２のコア片３２ｍとの間に介在されて、ギャップとして機能する。即ち、この例のリアクトル１は、異なる材料から構成された複数のギャップ（ギャップ材３１ｇ及び端面樹脂部３７２）を備える。
【００３８】
・・サイド本体部
サイド本体部３２は、軟磁性材料によって構成されたコア片３２ｍである。この例に示すコア片３２ｍは、一対の内側コア部品３１０，３１０が接続される内端面３２ｅが平面であり、上面及び下面が内端面３２ｅから外方に向かって断面積が小さくなるドーム状（変形台形状）である。コア片３２ｍのうち、ドーム状の周面は、コイル２の磁束に概ね平行する面であり、内端面３２ｅは、コイル２の磁束に直交する面である。内端面３２ｅのうち、内側コア部品３１０，３１０が接続される領域を除いて、サイド本体部３２の外形に沿ってサイド本体部３２の外周を覆うようにサイド樹脂モールド部３２０ｍが設けられている。
【００３９】
・・材質
この例では、コア片３１ｍ，３２ｍはいずれも、金属粒子と、金属粒子間に介在する絶縁材とによって実質的に構成される圧粉成形体である。ミドル樹脂モールド部３１０ｍ，サイド樹脂モールド部３２０ｍの構成樹脂は、ポリフェニレンサルファイド（ＰＰＳ）樹脂である。その他、上記構成樹脂は、ポリテトラフルオロエチレン（ＰＴＦＥ）樹脂、液晶ポリマー（ＬＣＰ）、ナイロン６、ナイロン６６、ナイロン１０Ｔ、ナイロン９Ｔ、ナイロン６Ｔ、ポリブチレンテレフタレート（ＰＢＴ）樹脂などの熱可塑性樹脂が挙げられる。
【００４０】
圧粉成形体は、代表的には、鉄や鉄合金（Ｆｅ−Ｓｉ合金、Ｆｅ−Ｎｉ合金など）といった金属の粉末と、適宜バインダ（樹脂など）や潤滑剤とを含む原料粉末を成形した後、成形に伴う歪みの除去などを目的とした熱処理を施して得られる。金属粉末に絶縁処理を施した被覆粉末や、金属粉末と絶縁材とを混合した混合粉末を原料粉末に用いることで、成形後、金属粒子間に絶縁材が介在する圧粉成形体が得られる。代表的には、圧粉成形体は、金属粒子が絶縁被覆で覆われた被覆粉末から構成される。成形には、一般に、貫通孔を有するダイと、貫通孔に挿入されてダイの内周面を含む成形空間に充填された原料粉末を圧縮する上パンチ及び下パンチとが利用される。圧粉成形体における上パンチ及び下パンチが形成した押圧面は、代表的には、金属粒子間に絶縁材が介在して、電気絶縁性に優れる面である。このような押圧面をコア片３１ｍ，３２ｍにおけるコイル２の磁束に直交に配置される面とすると、リアクトル１はコイル２に起因する渦電流を低減できる。
【００４１】
一方、ダイとの摺接面では、金属粒子が変形して延びて、隣り合う金属粒子同士が接触して導通する。このようなダイとの摺接面を、コイル２内に配置されるコア片３１ｍにおける磁束に平行に配置される面とし、リアクトル１のコイル２が通電されると、コア片３１ｍの周面３１ｓに沿ってループ状に渦電流が生じる。この例では、角部を丸めた直方体状の立体（コア片３１ｍ）における四つの平面とこれらの平面間を繋ぐ４つの湾曲面とに亘ってループ状に渦電流が生じる。しかし、ダイとの摺接面を周面３１ｓとした場合でも、更には複数の溝を備える場合でも、コア片３１ｍが後述の非導通領域３６を備えることで、リアクトル１は上記ループ状の渦電流を防止できる。
【００４２】
・・接合強化領域
コイル２内に配置されるミドル本体部３１を構成する各コア片３１ｍは、その周面３１ｓの一部に、複数の溝を備える。この例では、周面３１ｓをつくる４個の平面及び４個の湾曲面のうち、４個の平面にのみ複数の交差溝３５Ａを備える。より具体的には３個の平面の全域に複数の溝を備える。残り１個の平面のうちの一部（ここでは中央部分）に非導通領域３６を備え、残部（ここでは上記中央部分の両側にある二つの領域）に複数の溝を備える。これらの溝はいずれも、非導通領域３６を通過しておらず、非導通領域３６に侵入もしていない。
【００４３】
・・・溝の形状
周面３１ｓに備える溝は、種々の形状とすることができる。例えば、直線状（図３の溝３５０参照）、波線や円弧などの曲線状、円環などの環状が挙げられる。これらの任意の形状の溝は、コア片３１ｍの周面３１ｓの周方向にループ状に連続してループ状の導通部分を形成することなく配置されていればよく、並列して存在する形態、又は放射状に存在する形態、又は（均一的に）分散して存在する形態などが挙げられる。このような形状の溝を複数備えることで、コア片３１ｍと樹脂との接触面積が、溝が無い場合（特許文献１など）に比較して大きく、コア片３１ｍと樹脂部との接合強度を高められる。
【００４４】
上記に列挙したように複数の溝のそれぞれが重なり合うことなく独立して存在するよりも、複数の溝の一部が重なって存在する方が樹脂部との接合強度をより高められて好ましい。複数の溝の一部が重なってできる複合溝として、例えば、Ｌ字状、Ｔ字状、Ｖ字状、Ｙ字状などのある溝の端部が別の溝から突出しない形状のものや、例えば、Ｘ字状などのある溝の端部が別の溝から突出した形状のものが挙げられる。一つの複合溝を構成する各溝は、その形成方向がそれぞれ異なるため、ある溝の形成方向に沿った樹脂部の剥離を別の溝によって防止できる。従って、複合溝を複数備えることで、例えば、直線状の溝が並列している場合と比較して、任意の方向における樹脂部の剥離を抑制でき、接合強度をより高められる。
【００４５】
上記突出した形状の複合溝をより具体的に説明する。例えば、格子状に交差した溝（例えば、縦間隔が１００μｍ程度、横間隔が１００μｍ程度の格子）が挙げられる。格子状の複合溝は、直線状の溝を連続的に加工すればよく、溝加工性に優れる。又は、例えば、交差溝３５Ａのように複数の溝がループを形成することなく交差している溝（以下、特定の交差溝と呼ぶことがある）が挙げられる。
【００４６】
交差溝３５Ａは、同一長さの２本の直線状の溝が直交した＋形状である。溝の交差角度は直交に限らず、適宜変更でき、例えば、図３に示すＸ形状の交差溝３５Ｂのように鈍角（鋭角）にすることができる。交差する溝の長さ、本数、形状（直線状、曲線状）などは適宜変更できる。例えば、＊、≠、Ψ、※、жなど種々の形状とすることができる。また、図４に示す交差溝３５Ｃのように１本の長い溝に複数の短い溝が交差した形状（ここでは、長い直線状の溝に短い直線状の溝が複数直交した形状）などとすることができる。
【００４７】
コア片３１ｍの周面３１ｓに備える複数の溝の形状は、種々の形状をとり得る。図１などに示すようにその全てが同一形状である他、異なる形状を含むことができる。例えば、後述の図３では、直線状の溝３５０と、Ｘ形状の交差溝３５Ｂとを含む形態を示す。
【００４８】
図１、図２に示す複数の溝（ここでは交差溝３５Ａ）は、所定の間隔をあけて整列配置されており、コア片３１ｍの周面３１ｓにおける所定の領域（ここでは３個の平面と１個の平面の一部）の全体に亘って万遍なく形成されている。具体的には、ある横列をつくる隣り合う交差溝３５Ａ，３５Ａの間に、この横列の上又は下に位置する別の横列をつくる交差溝３５Ａが位置している。複数の交差溝３５Ａの配置は、適宜変更でき、図１、図２は例示である。交差溝３５Ａの個数によっても、その他の配置もとり得る。
【００４９】
・・・溝の大きさ
各溝の深さ、幅、長さは適宜選択できる。溝の幅とは、コア片３１ｍの周面３１ｓを平面視したときに溝の外形をつくる輪郭線のうち、溝の端部をつくる一辺の長さとし、溝の長さとは、上記一辺に連続する他辺とする。複合溝のうち、上記突出しない形状の溝については、溝の長さとは、上記輪郭線のうち、上記溝の端部をつくる一辺から重複部分までの長さとする。上述の特定の交差溝については、溝の長さとは、上記輪郭線のうち、交差角をつくる線の長さとする。各溝の深さが深いほど、又は溝の幅や溝の長さが広いほど、周面樹脂部３７５との接触面積が多く、周面樹脂部３７５との接合強度を高められると考えられる。但し、深過ぎたり、幅や長さが大き過ぎたりすると、磁性成分が減少したり、溝加工時間が長くなってコア片３１ｍの生産性の低下、引いてはリアクトル１の生産性の低下を招いたりする。この点から、各溝の深さは、１０μｍ以上２００μｍ以下、更に３０μｍ以上１５０μｍ以下が好ましいと考えられる。この例では、各溝の深さは、５０μｍ以上１２０μｍ以下である。溝の幅や長さは、溝の形状などによって選択するとよい。
【００５０】
・・・溝の占有率
コア片３１ｍの周面３１ｓを平面視したときに複数の溝の合計面積が周面３１ｓの面積に占める割合（以下、占有率と呼ぶ）は、適宜選択できる。占有率が高いほど、周面３１ｓと周面樹脂部３７５との接合強度を高められることから、１０％以上、１５％以上、更に２０％以上が好ましいと考えられる。上述の磁気特性と生産性とを考慮すると、占有率は８０％以下、７０％以下、更に５０％以下が好ましいと考えられる。
【００５１】
図１，図２に示す例では、複数の溝の大きさ（ここでは交差溝３５Ａの深さ、幅、長さ）がいずれも等しいが、大きさが異なる溝を備えることができる。この場合、同じ形状の溝であって、大きさのみが異なる形態、異なる形状の交差溝であって、大きさも異なる形態のいずれでもよい。
【００５２】
また、コア片３１ｍの周面３１ｓにおける複数の溝を備える領域は広いほど、周面３１ｓと周面樹脂部３７５との接合強度を高められて好ましい。この例では、コア片３１ｍの周面３１ｓのうち、非導通領域３６及び角部の曲面に溝を備えていないが、非導通領域３６を除く全領域に溝を備えたり、後述するように非導通領域３６に侵入して溝を備えたりすることができる。
【００５３】
・・・溝の形成方法
溝の形成には、例えば、レーザ光の照射といったレーザ加工を利用できる。照射条件は、溝の大きさが所望の値となるように適宜選択できる。この例ではレーザ加工を利用している。その他の溝の形成方法として、切削工具による切削加工などが挙げられる。ここで、上述の圧粉成形体の一面にレーザ加工などで溝を設けると、金属粒子間に介在する絶縁材が除去され得るため、溝部分は導通し得る。上述のダイとの摺接面に溝を形成する場合、通常、上述のようにこの面は溝加工前から導通しているため、溝加工に起因する渦電流の増大は実質的に生じない。
【００５４】
・・非導通領域
コイル２内に配置されるミドル本体部３１を構成する各コア片３１ｍは、その周面３１ｓの他部に、非導通領域３６を備える。非導通領域３６は、代表的には、交差溝３５Ａなどの複数の溝が設けられておらず、圧粉成形体自体に含む絶縁材によって金属粒子間を絶縁して、コア片３１ｍの周面３１ｓの周方向に沿ったループ状の導通を分断する領域である。この機能を果たすために、非導通領域３６は、コア片３１ｍの長さ方向にその全長に亘って設けられている。なお、コア片３１ｍにおける一方の端面３１ｅから他方の端面３１ｅに向かう方向を長さ方向（図２では磁束に平行する方向）とする。
【００５５】
・・・領域の大きさ
非導通領域３６におけるコア片３１ｍの長さ方向に沿った長さは、上述のようにコア片３１ｍの長さ方向の全長とする。非導通領域３６におけるコア片３１ｍの周方向に沿った長さ（以下、周方向長さと呼ぶ）は、短くてもよく、適宜選択できる。例えば、上記周方向長さは、コア片３１ｍにおける周面３１ｓの周方向に沿った長さの３０％以下、更に２０％以下、更には１０％以下とすることができる（この例では５％以上１５％以下）。この例では、コア片３１ｍの周面３１ｓに非導通領域３６を一つのみ備えているが、複数の非導通領域３６を備えることができる（後述の図５参照）。また、この例ではコア片３１ｍの周面３１ｓのうち、一つの平面に非導通領域３６を一つのみ備えているが、一つの平面に複数の非導通領域３６を備えることができる。
【００５６】
・・・非導通処理
非導通領域３６の形成には、コア片３１ｍの周面３１ｓの適宜な領域に非導通処理を施すことが挙げられる。非導通処理は、化学的、機械的、電気的、光学的、熱的、及びこれらの複合的な処理などが利用できる。例えば、上述の絶縁材を備える圧粉成形体におけるダイとの摺接面にこれらの処理を施すと、この面の最表及びその近傍の領域を構成する金属粒子が展延した部分（金属粒子の一部）を良好に除去できる。そのため、金属粒子間に絶縁材が介在する状態を表出でき、この絶縁材によって金属粒子間の導通を分断する。また、これらの処理によって、周面３１ｓの表面を深さが数μｍ〜１０μｍ程度の微細な凹凸形状とすることができる。この微細な凹凸によって、周面３１ｓにおける非導通処理が施された領域は、周面樹脂部３７５との接触面積をある程度増加でき、コア片３１ｍと周面樹脂部３７５との接合性をある程度高められると期待される。
【００５７】
非導通処理には、レーザ光の照射といったレーザ加工を利用できる。照射条件は、公知の条件（特許文献１参照）を利用できる。この例ではレーザ加工を利用している。
【００５８】
その他、非導通処理には、１．塩酸、硫酸などの無機酸を用いた酸処理、２．硝酸ナトリウムなどの溶液を電解液に用いた電解処理、３．ウォータージェットを用いた処理などが挙げられる。コア片３１ｍにおける非導通処理を施さない領域（ここでは平面における複数の溝を備える領域、及び角部の曲面）にはマスキングを適宜施してから、非導通処理を行うとよい。これらの処理も、公知の条件（特許文献１参照）を利用できる。
【００５９】
（リアクトルの製造方法）
図２を主に参照して、リアクトル１の製造方法の一例を説明する。
まず、コア片３１ｍの周面３１ｓの所定の領域にそれぞれ、非導通領域３６を形成すると共に、複数の溝（ここでは交差溝３５Ａ）を設ける。非導通領域３６の形成と溝の形成とはいずれが先でもよい。このコア片３１ｍの端面３１ｅとギャップ材３１ｇとを接着剤（図示せず）などによって接合し、ミドル本体部３１を形成する。
【００６０】
用意したミドル本体部３１，３１、別途作製したサイド本体部３２，３２を中子とし、内側コア部品３１０，３１０、外側コア部品３２０，３２０をインサート成形などの射出成形によって製造する。得られた内側コア部品３１０をみると、ミドル本体部３１に備える隣り合うコア片３１ｍ，３１ｍの周面３１ｓ，３１ｓに、これらコア片３１ｍ，３１ｍを一体に覆うミドル樹脂モールド部３１０ｍの一部が接合され、この一部が周面樹脂部３７５を構成している。また、ミドル本体部３１の両端部に位置するコア片３１ｍ，３１ｍの各端面（外端面）３１ｅ，３１ｅにはそれぞれ、ミドル樹脂モールド部３１０ｍの他部が接合され、この他部が端面樹脂部３７２を構成している。
【００６１】
そして、内側コア部品３１０，３１０、別途作製したコイル２、外側コア部品３２０，３２０を組み付けて、環状の磁性コア３を形成すると共に、コイル２を磁性コア３によって支持する。各内側コア部品３１０，３１０の端面３１０ｅ，３１０ｅと外側コア部品３２０の内端面（サイド本体部３２の内端面３２ｅ）とを接着剤（図示せず）などで接合してもよい。上記の工程により、リアクトル１が得られる。
【００６２】
（作用効果）
実施形態１のコア片３１ｍは、その周面３１ｓに複数の溝（ここでは交差溝３５Ａ）を備えることで、この周面３１ｓに周面樹脂部３７５が接合された場合に強固に接合できる。また、このコア片３１ｍは、その周面３１ｓに非導通領域３６を備えることで、この周面３１ｓがコイル２の磁束に平行するように配置された場合に、周面３１ｓの周方向に沿ったループ状の渦電流の発生を抑制できる。実施形態１のリアクトル１は、磁性コア３に備える複数のコア片３１ｍ，３２ｍのうち、コイル２内に配置されるコア片３１ｍについて、コイル２の磁束に平行する周面３１ｓに複数の溝（ここでは交差溝３５Ａ）と非導通領域３６とを備える隣り合うコア片３１ｍ，３１ｍの組を備える。そのため、リアクトル１は、コア片３１ｍと樹脂部（周面樹脂部３７５）との強固な接合と、コア片３１ｍの周面３１ｓに生じる渦電流の低減による低損失とを両立できる。
【００６３】
詳しくは、複数の溝によって、コア片３１ｍの周面３１ｓと、周面３１ｓに接合された周面樹脂部３７５との接触面積が多いことから、コア片３１ｍと周面樹脂部３７５との接合強度が高く、接合性に優れる。特に、実施形態１のリアクトル１では、特定の交差溝（交差溝３５Ａ）とすることで、任意の方向における周面樹脂部３７５の剥離を効果的に抑制できて、上記接合強度をより高められる。従って、複数のコア片３１ｍを備えていながらも周面樹脂部３７５によって強固に一体化されるため、リアクトル１は、樹脂部の剥離に起因する絶縁性の低下、振動・騒音を低減できる。かつ、リアクトル１は、非導通領域３６によって、コア片３１ｍの周面３１ｓの周方向に沿ったループ状の渦電流を効果的に抑制できる。
【００６４】
［変形例１−１］
実施形態１では、複数の溝が設けられた接合強化領域と非導通領域３６とが完全に独立した形態を説明した。図３に示すように、コア片３１ｍの周面３１ｓに備える複数の溝として、一端部が非導通領域３６に侵入する突出溝３５８を含むことができる。即ち、コア片３１ｍの周面３１ｓは、接合強化に利用する溝と非導通領域３６とが重複する重複領域３８を備えることができる。重複領域３８は、代表的には上述の非導通処理が施されて、深さが数μｍ〜１０μｍ程度の微細な凹凸を有すると共に、突出溝３５８の一端部が存在する。図３に示す例では、Ｘ形状の交差溝３５Ｂのうち、非導通領域３６の左側の境界近傍に位置するものは、交差する２個の溝の各端部がそれぞれ、重複領域３８に侵入した突出溝３５８となっている。非導通領域３６の右側の境界近傍に位置する直線状の溝３５０は、その一端部のみが重複領域３８に侵入した突出溝３５８となっている。
【００６５】
コア片３１ｍは、非導通領域３６に侵入する突出溝３５８を有することで、非導通領域３６における周面樹脂部３７５との接合強度を高められる。突出溝３５８における非導通領域３６への突出長さが長いほど、突出溝３５８の個数が多いほど、接合強度が高められて好ましい。例えば、突出長さは、非導通領域３６の周方向長さの５％以上５０％以下が挙げられる。コア片３１ｍの周面３１ｓにその周方向に連続するループ状の導通部分が生じなければ、突出溝３５８の形状などは適宜選択できる。周面３１ｓを上述の圧粉成形体のダイとの摺接面とする場合、突出溝３５８が非導通領域３６を通過すると、突出溝３５８によって非導通領域３６の両側の領域が導通し、その結果上記ループ状の導通部分が生じ得る。そのため、この場合には突出溝３５８は、非導通領域３６を通過しないことが好ましい。
【００６６】
［変形例１−２］
実施形態１では、ミドル本体部３１に含むコア片３１ｍ，…の全てが、複数の溝と非導通領域３６とを備える形態を説明した。ミドル本体部３１に含む複数のコア片３１ｍ，…のうち、一部のコア片が複数の溝と非導通領域３６との少なくとも一方を備えていない形態とすることができる。この場合、例えば、複数の溝や非導通領域３６などを備えていないコア片の両側に、このコア片を挟むように複数の溝と非導通領域３６との双方を備えるコア片３１ｍ，３１ｍを備えると、複数の溝を備えるコア片３１ｍ，３１ｍが周面樹脂部３７５を強固に保持できる。そのため、複数のコア片３１ｍ，…の一体性をある程度高められると期待される。
【００６７】
［変形例１−３］
実施形態１では、コア片３１ｍの周面３１ｓにのみ、溝を備える形態を説明した。図４、図５に示すように、コア片３１ｍは、周面３１ｓ及び端面３１ｅの双方に溝を備えることができる。図４では、周面３１ｓに交差溝３５Ｃ、端面３１ｅに交差溝３５Ａを備える場合を示す。図５では、周面３１ｓ及び端面３１ｅに交差溝３５Ａを備える場合を示す。
【００６８】
コア片３１ｍの端面３１ｅに備える溝は、上述の特定の交差溝であることが好ましい。上述のようにコア片３１ｍが上述の絶縁材を備える圧粉成形体であり、上述押圧面を端面３１ｅとした場合、即ち溝加工前は絶縁材が十分に存在して金属粒子同士が絶縁された状態であっても、溝加工によって溝部分が導通し得る。そのため、環状の溝や上述の格子状の複合溝などをコイル２の磁束に直交する面（ここでは端面３１ｅ）に備えると、溝のループ部分に沿って渦電流が生じ得る。しかし、ループを有さない特定の交差溝３５Ａなどでは、交差する各溝がループをつくらず途切れているため、特定の交差溝３５Ａなどを備える端面３１ｅがコイル２の磁束に直交するようにコア片３１ｍが配置された場合、溝に沿ったループ状の渦電流が流れない。そのため、上記押圧面をコイル２の磁束に直交する面とし、この面（ここでは端面３１ｅ）に交差溝３５Ａなどを備えることで、コイル２の励磁時、端面３１ｅにコイル２の磁束が通過しても、交差溝３５Ａなどに沿ってループ状に渦電流が流れることを防止でき、低損失なリアクトルとすることができる。
【００６９】
コア片３１ｍの端面３１ｅにも複数の溝を備えることで、実施形態１に示すように一方の端面３１ｅにも樹脂部（ここではミドル樹脂モールド部３１０ｍの一部である端面樹脂部３７２）が接合される場合に、端面３１ｅと樹脂部との接合強度を高められる。特に、コア片３１ｍの端面３１ｅに備える複数の溝が上述の交差溝３５Ａなどであれば、任意の方向の樹脂部の剥離を抑制し易く、接合性により優れる。
【００７０】
コア片３１ｍの一方の端面３１ｅにのみ樹脂部が接合される場合には、一方の端面３１ｅにのみ、交差溝３５Ａなどを備えるとよい。両端面３１ｅ，３１ｅに樹脂部が接合される場合には、両端面３１ｅ，３１ｅに交差溝３５Ａなどを備えることが好ましい。例えば、一方の端面３１ｅにミドル樹脂モールド部３１０ｍの一部が接合され、他方の端面３１ｅに上述のように接着剤などの樹脂が接合される場合、コア片３１ｍは、その両端面３１ｅ，３１ｅに交差溝３５Ａなどを備えることで、樹脂部（樹脂モールド部３１０ｍの一部と接着剤）との接合性に優れる。又は、例えば、ギャップ材３１ｇ及び接着剤を省略して、コア片３１ｍ，３１ｍ間のギャップ、コア片３１ｍ，３２ｍ間のギャップを全て樹脂モールド部３１０ｍの一部によって構成する場合、コア片３１ｍは、その両端面３１ｅ，３１ｅに交差溝３５Ａなどを備えることで、樹脂モールド部３１０ｍの一部との接合性に優れる。この場合、例えば、樹脂モールド部３１０ｍの形成にあたり、成形型に、周面３１ｓに複数の溝及び非導通領域３６を設け、かつ両端面３１ｅ，３１ｅに交差溝３５Ａなどを設けたコア片３１ｍを、所定の間隔をあけて配置して、隣り合うコア片３１ｍ，３１ｍ間に樹脂が充填されるようにすることで、樹脂ギャップを容易に形成できる。また、この場合、コア片３１ｍ，３１ｍ間に介在される樹脂部は、上述のギャップに加えて、コア片３１ｍ，３１ｍ同士を接合する接着剤としても機能する。
【００７１】
変形例１−３のリアクトルは、非導通領域３６によって渦電流を低減できる上に、コイル２内に配置されるコア片３１ｍの周面３１ｓに加えて端面３１ｅにも複数の溝を備えることで、樹脂部との接合性により優れて、樹脂部の剥離を良好に防止できる。その結果、このリアクトルは、樹脂部の剥離に起因する絶縁性の低下、振動・騒音をより低減できると期待される。特に、このリアクトルは、周面樹脂部３７５と端面樹脂部３７２とが一つのミドル樹脂モールド部３１０ｍによって構成されて複数のコア片３１ｍを保持することから、これらコア片３１ｍの一体化をより強固にし易い。そのため、このリアクトルは、複数のコア片３１ｍを備えていながらも樹脂モールド部３１０ｍによって各コア片３１ｍの任意の面が強固に一体化されており、振動や騒音をより一層に低減できると期待できる。その他、両樹脂部３７５，３７２を一つの樹脂モールド部３１０ｍとする形態は、両樹脂部３７５，３７２を同時に形成できて製造性にも優れる。
【００７２】
［変形例１−４］
実施形態１では、コイル２内に配置されるコア片３１ｍにのみ複数の溝及び非導通領域３６を備える形態を説明した。コイル２が配置されないコア片３２ｍにも複数の溝及び非導通領域３６を備えることができる。コア片３２ｍの周面は、概ねコイル２の磁束に平行な面であるから非導通領域３６を設けなくてもよく、上述の適宜な形状の溝を設けることで、サイド樹脂モールド部３２０ｍとの接合強度を高められる。
【００７３】
一方、図２に示すコア片３２ｍの内端面３２ｅは、ミドル本体部３１のコア片３１ｍの端面３１ｅと同様にコイル２の磁束に直交する面であるため、交差溝３５Ａなどを備えることができる。この場合、内端面３２ｅと内側コア部品３１０の端面３１０ｅとの接合に上述のように接着剤を用いると、コア片３２ｍにおけるコイル２の磁束に直交する内端面３２ｅに接合された接着剤やサイド樹脂モールド部３２０ｍの一部といった樹脂部との接合強度を高められる。
【００７４】
又は、サイド樹脂モールド部３２０ｍの被覆領域を変更し、内端面３２ｅを含むコア片３２ｍの外周全体を樹脂モールド部３２０ｍによって覆うことができる。この場合、コイル２の磁束に直交する内端面３２ｅに接合された樹脂モールド部３２０ｍの一部（内端面３２ｅを覆う平板状の樹脂層）との接合強度を高められる。
【００７５】
［変形例１−５］
実施形態１では、磁性コア３が４個のコア部品（内側コア部品３１０，３１０，外側コア部品３２０，３２０）を備える形態を説明した。その他、一方のミドル本体部３１と一方のサイド本体部３２とがＬ状に組み付けられて樹脂モールド部に一体に保持されたＬ字コア部品を一組備える形態、２個のミドル本体部３１，３１と一方のサイド本体部３２とがＵ状に組み付けられて樹脂モールド部に一体に保持されたＵ字コア部品と、１個の外側コア部品とを備える形態などとすることができる。
【００７６】
［実施形態２］
実施形態１は、磁性コア３が樹脂モールド部３１０ｍ，３２０ｍを備えており、コア片３１ｍ，３２ｍの周面が樹脂モールド部３１０ｍ，３２０ｍの一部によって覆われた形態を説明した。その他、樹脂モールド部３１０ｍ，３２０ｍを省略し、コイル２と磁性コア３との組物を収納するケース（図示せず）と、ケース内に充填されて組物の外周を覆う封止樹脂（図示せず）とを備えることができる。この場合、封止樹脂の一部が周面樹脂部や端面樹脂部、コア片３２ｍを覆う樹脂部となる。封止樹脂は、エポキシ樹脂やウレタン樹脂などの熱硬化性樹脂などが利用できる。
【００７７】
実施形態２のリアクトルにおいても、ミドル本体部３１のコア片３１ｍの周面３１ｓに複数の溝と非導通領域３６とを備えることで、封止樹脂との接合強度の向上と、渦電流に起因する損失の低減とを図ることができる。更に、実施形態２のリアクトルにおいても、変形例１−４で説明したようにサイド本体部３２のコア片３２ｍにも複数の溝（好ましくは上述の特定の交差溝）を備えることで、封止樹脂との接合強度を向上できる。
【００７８】
（その他の構成など）
図１に示すリアクトル１では、ミドル樹脂モールド部３１０ｍやサイド樹脂モールド部３２０ｍで構成される以下の係合部、取付部３２５、仕切り部を備える。係合部、取付部３２５、及び仕切り部の少なくとも一つを省略できる。
【００７９】
・内側コア部品３１０と外側コア部品３２０との係合部
この例では、ミドル樹脂モールド部３１０ｍは、ミドル本体部３１の周面３１ｓを覆う部分のうち、端面３１０ｅ近傍に厚さが薄い領域を備える。サイド樹脂モールド部３２０ｍは、外側コア部品３２０の内端面から突出して設けられた２個の筒部を備える。上記薄い領域と筒部とが係合部として機能する。
・設置対象にリアクトル１を取り付ける取付部３２５（図１，図２）
この例では、サイド樹脂モールド部３２０ｍは、外方に突出する突片を有する。突片にはボルト孔３２５ｈが設けられており、この突片が取付部３２５に利用される。
・巻回部２ａ，２ｂ間に介在される仕切り部
この例では、サイド樹脂モールド部３２０ｍは、外側コア部品３２０の内端面から突出し、かつ上記２個の筒部間に設けられた板片を備える。この板片が仕切り部として機能し、両巻回部２ａ，２ｂ同士の絶縁を確保する。
【００８０】
その他、上述の実施形態１，２、変形例のリアクトルは、以下の部材を備えることができる。これらの部材の少なくとも一つを省略することもできる。
【００８１】
・・センサ
温度センサ、電流センサ、電圧センサ、磁束センサなどのリアクトル１の物理量を測定するセンサ（図示せず）を備えることができる。
・・放熱板
コイル２の外周面の任意の箇所に放熱板（図示せず）を備えることができる。例えば、コイル２の設置面（ここでは下面）に放熱板を備えると、コンバーターケースなどの設置対象にコイル２の熱を、放熱板を介して良好に伝えられて放熱性を高められる。放熱板の構成材料は、アルミニウムやその合金といった金属や、アルミナなどの非金属などの熱伝導性に優れるものを利用できる。放熱板をリアクトル１の設置面（ここでは下面）全体に設けてもよい。放熱板は、例えば、後述の接合層によってコイル２と磁性コア３との組物に固定できる。
・・接合層
リアクトル１の設置面（ここでは下面）のうち、少なくともコイル２の設置面（ここでは下面）に接合層（図示せず）を備えることができる。接合層を備えることで、設置対象又は上述の放熱板を備える場合には放熱板にコイル２を強固に固定でき、コイル２の動きの規制、放熱性の向上、設置対象又は上記放熱板への固定の安定性などを図ることができる。接合層の構成材料は、絶縁性樹脂、特にセラミックスフィラーなどを含有して放熱性に優れるもの（例えば、熱伝導率が０．１Ｗ／ｍ・Ｋ以上、更に１Ｗ／ｍ・Ｋ以上、特に２Ｗ／ｍ・Ｋ以上）が好ましい。具体的な樹脂は、エポキシ樹脂、シリコーン樹脂、不飽和ポリエステルなどの熱硬化性樹脂や、ＰＰＳ樹脂、ＬＣＰなどの熱可塑性樹脂が挙げられる。
【００８２】
なお、本発明は、これらの例示に限定されるものではなく、特許請求の範囲によって示され、特許請求の範囲と均等の意味及び範囲内での全ての変更が含まれることが意図される。例えば、巻回部が一つのみのコイルを備えるリアクトルとすることができる。例えば、上述の非導通領域及び複数の溝を備えるコア片をリアクトル以外の磁気部品の磁性コアの構成要素に利用できる。
【産業上の利用可能性】
【００８３】
本発明のコア片は、リアクトル、トランス、モータ、チョークコイルなどの磁気部品の構成要素に好適に利用できる。本発明のリアクトルは、ハイブリッド自動車、プラグインハイブリッド自動車、電気自動車、燃料電池自動車などの車両に搭載される車載用コンバータ（代表的にはＤＣ−ＤＣコンバータ）や、空調機のコンバータなどの種々のコンバータ、並びに電力変換装置の構成部品に好適に利用できる。
【符号の説明】
【００８４】
１  リアクトル
２  コイル  ２ａ，２ｂ  巻回部  ２ｒ  連結部  ２ｗ  巻線  ２ｅ  端部
３  磁性コア  ３１０  内側コア部品  ３２０  外側コア部品
３１０ｍ  ミドル樹脂モールド部  ３２０ｍ  サイド樹脂モールド部
３１  ミドル本体部  ３２  サイド本体部
３１ｍ，３２ｍ  コア片  ３１ｇ  ギャップ材
３１ｅ，３１０ｅ  端面  ３１ｓ  周面  ３２ｅ  内端面
３５Ａ，３５Ｂ，３５Ｃ  交差溝（溝）  ３５０  溝  ３５８  突出溝
３６  非導通領域  ３８  接合強化領域と非導通領域との重複領域
３７５  周面樹脂部  ３７２  端面樹脂部
３２５  取付部  ３２５ｈ  ボルト孔
８  端子金具
【図１】
2015211143.tif 000003
【図２】
2015211143.tif 000004
【図３】
2015211143.tif 000005
【図４】
2015211143.tif 000006
【図５】
2015211143.tif 000007